【手続補正書】
【提出日】平成20年4月24日(2008.4.24)
【手続補正１】
【補正対象書類名】明細書
【補正対象項目名】特許請求の範囲
【補正方法】変更
【補正の内容】
【特許請求の範囲】
【請求項１】  水を流すための水路と、前記水路への水を供給するための給水手段と、前記水路に併設され電気分解を行うための電極を有した電解槽と、前記電解槽に電力エネルギーの供給を行う通電手段と、前記給水手段と前記通電手段を制御する電解制御手段とを有する電解水生成装置において、前記電解制御手段は制御マイコンが電源低下でリセットしない瞬時的な停電を検出するための停電検出手段を備えるとともに、前記給水手段と前記通電手段とを同時に駆動させる電解水生成動作中に前記停電検出手段が停電を検出した場合、前記給水手段と前記通電手段を停止させて前記電解水生成動作を中止し、前記停電検出手段が停電非検出となれば、前記給水手段と前記通電手段を駆動させて前記電解水生成動作を行うことを特徴とする電解水生成装置。
【請求項２】  請求項１の電解水生成装置において、前記電解水生成動作中に前記停電検出手段が停電検出と停電非検出を所定回数以上繰り返した場合は、電源の異常とみなして前記電解水生成動作を中止することを特徴とする電解水生成装置。
【請求項３】  請求項２の電解水生成装置において、前記電解水生成動作を中止した後、前記電解水生成動作を行う所定時間前に前記給水手段のみを駆動させる非電解水洗浄による予備洗浄動作を行うことを特徴とする電解水生成装置。
【請求項４】  請求項３の電解水生成装置において、前記電解槽の電圧を測定するための測定手段を有し、前記予備洗浄動作時に前記通電手段を駆動させて、その時の前記測定手段の測定電圧により水の電気伝導度を演算し、前記電気伝導度に基づいて前記電解水生成動作時に前記電解槽に通電する電流量を決定することを特徴とする電解水生成装置。
【請求項５】  請求項３又は４に記載の電解水生成装置において、前記予備洗浄動作を終了して前記電解水生成動作を開始するまでの待機時間に前記停電検出手段が停電を検出した場合、前記電解水生成動作の開始時間になっても前記電解水生成動作を開始しないで、前記電解水生成動作の開始時間が過ぎた後、前記停電検出手段が停電非検出となれば、前記電解水生成動作を開始することを特徴とする電解水生成装置。
【請求項６】  請求項３乃至５のいづれか一つに記載の電解水生成装置において、前記予備洗浄を開始してから前記電解水生成動作を終了するまでの間に、前記停電検出手段が停電検出と停電非検出を所定回数以上繰り返した場合に、電源の異常とみなして前記電解水生成動作を中止することを特徴とする電解水生成装置。
【手続補正２】
【補正対象書類名】明細書
【補正対象項目名】０００４
【補正方法】変更
【補正の内容】
【０００４】
【課題を解決するための手段】
上記目的を達成するために第１の発明は、水を流すための水路と、前記水路への水を供給するための給水手段と、前記水路に併設され電気分解を行うための電極を有した電解槽と、前記電解槽に電力エネルギーの供給を行う通電手段と、前記給水手段と前記通電手段を制御する電解制御手段とを有する電解水生成装置において、前記電解制御手段は制御マイコンが電源低下でリセットしない瞬時的な停電を検出するための停電検出手段を備えるとともに、前記給水手段と前記通電手段とを同時に駆動させる電解水生成動作中に前記停電検出手段が停電を検出した場合、前記給水手段と前記通電手段を停止させて前記電解水生成動作を中止し、前記停電検出手段が停電非検出となれば、前記給水手段と前記通電手段を駆動させて前記電解水生成動作を行うことを特徴とする。
そのために、電解水生成動作中に停電が発生した場合に、停電による電気的な変動の影響を受けた状態での電解水生成動作を継続して精度の悪い電解水による洗浄を行うことを防止する。そして、停電から復帰した正常な状態での電解水生成動作を行うことによって精度の良い電解水による洗浄を行うことが可能となる。
【手続補正３】
【補正対象書類名】明細書
【補正対象項目名】０００５
【補正方法】変更
【補正の内容】
【０００５】
第２の発明は、請求項１の電解水生成装置において、前記電解水生成動作中に前記停電検出手段が停電検出と停電非検出を所定回数以上繰り返した場合は、電源の異常とみなして前記電解水生成動作を中止することを特徴とする。その結果、これを電源の異常とみなして前記電解水生成動作を中止することとした。これによって、前記停電検出手段が停電検出と停電非検出を繰り返す異常な状態で電解水生成動作を行うことを防止することが可能となる。
【手続補正４】
【補正対象書類名】明細書
【補正対象項目名】０００６
【補正方法】変更
【補正の内容】
【０００６】
第３の発明は、請求項２の電解水生成装置において、前記電解水生成動作を中止した後、前記電解水生成動作を行う所定時間前に前記給水手段のみを駆動させる非電解水洗浄による予備洗浄動作を行うことを特徴とする。その結果、これによって、電解水生成動作前に予備洗浄を行うことにより水路内などの汚れを洗浄することができるため、より効果的な電解水生成動作を行うことが可能となる。
【手続補正５】
【補正対象書類名】明細書
【補正対象項目名】０００７
【補正方法】変更
【補正の内容】
【０００７】
第４の発明は、請求項３の電解水生成装置において、前記電解槽の電圧を測定するための測定手段を有し、前記予備洗浄動作時に前記通電手段を駆動させて、その時の前記測定手段の測定電圧により水の電気伝導度を演算し、前記電気伝導度に基づいて前記電解水生成動作時に前記電解槽に通電する電流量を決定することを特徴とする。その結果、これによって、電解水生成動作を行う前に通電電流量を決めることができるため、最適な電解水生成動作を行うことが可能となる。
【手続補正６】
【補正対象書類名】明細書
【補正対象項目名】０００８
【補正方法】変更
【補正の内容】
【０００８】
第５の発明は、請求項３又は４に記載の電解水生成装置において、前記予備洗浄動作を終了して前記電解水生成動作を開始するまでの待機時間に前記停電検出手段が停電を検出した場合、前記電解水生成動作の開始時間になっても前記電解水生成動作を開始しないで、前記電解水生成動作の開始時間が過ぎた後、前記停電検出手段が停電非検出となれば、前記電解水生成動作を開始することを特徴とする。その結果、これによって、停電による電気変動の影響を受けた精度の悪い電解水生成動作を防止して、停電から復帰した正常な状態での電解水生成動作を行うことによって精度の良い電解水による洗浄を行うことが可能となる。
【手続補正７】
【補正対象書類名】明細書
【補正対象項目名】０００９
【補正方法】変更
【補正の内容】
【０００９】
第６の発明は、請求項３乃至５のいづれか一つに記載の電解水生成装置において、前記予備洗浄を開始してから前記電解水生成動作を終了するまでの間に、前記停電検出手段が停電検出と停電非検出を所定回数以上繰り返した場合に、電源の異常とみなして前記電解水生成動作を中止することを特徴とする。その結果、これによって、前記停電検出手段が停電検出と停電非検出を繰り返す異常な状態で電解水生成動作を行うことを防止することが可能となる。
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】